(57)【要約】【課題】ソケット背面部にケーブルの端子接続部を設けてケーブルを背面から接続するためには、通常リレーを固定するために用いる制御盤用取り付けレールが使用できなかった。そのため、複数のケーブルが周囲に散らばってしまいスペースを要してしまうという問題があった。【解決手段】制御盤前面側の電磁リレー本体１１の端子１２と電気的に接続する導通金属バー２２と、導通金属バー２２と電気的に接続し、制御盤前面側の電磁リレー本体１１に接続したケーブルを制御盤背面側に敷設するための制御盤背面側の接続端子部２３とを備えた制御盤配線用リレーアダプタ２０を設けた。【選択図】図２
2018120773.tif 000002
【特許請求の範囲】
【請求項１】
制御盤の前面側に配設される電磁リレーと電気的に接続されるケーブルを前記制御盤の背面側に敷設するための接続端子部を有し、前記制御盤の背面側に配設されるリレーアダプタ本体と、前記制御盤の前面側に配設される前記電磁リレーの端子と電気的に接続されて前記制御盤の前面側から前記制御盤の背面側へ延在する導通部材とを備え、前記導通部材を前記リレーアダプタ本体の前記接続端子部と電気的に接続することを特徴とする制御盤配線用リレーアダプタ。
【請求項２】
前記導通部材の制御盤前面側端部に、前記導通部材の制御盤前面側から制御盤背面側へ延在する奥行延在導通部と直角方向に折曲され前記制御盤前面に沿って延在する前面延在導通部を設け、この前面延在導通部を前記電磁リレーの端子に接合することを特徴とする請求項１に記載の制御盤配線用リレーアダプタ。
【請求項３】
前記導通部材の制御盤背面側端部に接続される奥行延在接続部と、前記奥行延在接続部に対し直角方向に折曲され前記制御盤背面に沿って延在する背面延在接続部とを有する接続部材を前記リレーアダプタ本体に設け、前記接続部材の前記背面延在接続部を前記接続端子部に接合することを特徴とする請求項１または請求項２に記載の制御盤配線用リレーアダプタ。
【請求項４】
前記リレーアダプタ本体に前記接続端子部と電気的に接続される嵌合接続部を設け、前記導通部材を前記嵌合接続部に嵌合して前記導通部材を前記接続端子部と電気的に接続することを特徴とする請求項１から請求項３までの何れかに記載の制御盤配線用リレーアダプタ。
【請求項５】
前記リレーアダプタ本体に前記制御盤前面側における電磁リレーのコイル通電状態に応じて点灯状態が制御される表示灯を有することを特徴とする請求項１から請求項４までの何れかに記載の制御盤配線用リレーアダプタ。
【請求項６】
前記制御盤の背面側に配設された端子接続部を有するアダプタ本体と直結し前記端子接続部を覆うケーブルダクトを設けたことを特徴とする請求項１から請求項５までの何れかに記載の制御盤配線用リレーアダプタ。
【請求項７】
前記導通部材を前記リレーアダプタ本体に対し着脱自在に構成したことを特徴とする請求項１から請求項６までの何れかに記載の制御盤配線用リレーアダプタ。
【発明の詳細な説明】
【技術分野】
【０００１】
本発明は、制御盤前面部へ電磁リレーを高密度に実装するための制御盤配線用リレーアダプタに関するもので、特に、電磁リレーに接続されるケーブルの接続関連構成を制御盤背面側に移行する機構に関する。
【背景技術】
【０００２】
近年、プログラマブルコントローラによる制御盤内のリレー回路のソフトウェア化が進んできた。一方、プログラマブルコントローラは電解コンデンサ等の寿命品を搭載しているため、信頼性の高いスペックが要求される鉄道・変電所等の制御盤においては、プログラマブルコントローラを多重化するか、コイルとマグネットで機械的に接点を動作させる電磁リレーのみで構成するリレー回路が採用されてきた。
プログラマブルコントローラを多重化するのは、同機能の機器を複数配備すること、故障時に制御を切り替えるソフトウェアが必要なことから、高コストになる傾向があり、電磁リレーのみで低コストでリレー回路を構成する盤が多く導入されている。
【０００３】
しかし、電磁リレー回路はプログラマブルコントローラと比較して広い設置スペースが必要なため、変電所内の限られたスペース内に盤を収納できなくなる等の問題が生じるケースがあった。
この問題を解決するために、従来、ソケット背面部にケーブルの端子接続部を有する専用の電磁リレーソケットを設け、電磁リレーのコイルおよび接点に接続する多数のケーブルの接続関連構成を盤背面側のデッドスペースに移行させる手段が採用されていた。
【先行技術文献】
【特許文献】
【０００４】
【特許文献１】特許第２５０８３６９号公報
【発明の概要】
【発明が解決しようとする課題】
【０００５】
特許文献１に記載の電磁リレーでは、ソケット背面部にケーブルの端子接続部を設けてケーブルを背面から接続するためには、通常リレーを固定するために用いる制御盤用取り付けレールが使用できなかった。そのため、制御盤背面側において、複数のケーブルが周囲に散らばってしまい、スペースを要してしまうという問題があった。
【課題を解決するための手段】
【０００６】
本発明における制御盤配線用リレーアダプタは、制御盤の前面側に配設される電磁リレーと電気的に接続されるケーブルを前記制御盤の背面側に敷設するための接続端子部を有し、前記制御盤の背面側に配設されるリレーアダプタ本体と、前記制御盤の前面側に配設される前記電磁リレーの端子と電気的に接続されて前記制御盤の前面側から前記制御盤の背面側へ延在する導通部材とを備え、前記導通部材を前記リレーアダプタ本体の前記接続端子部と電気的に接続することを特徴とする。
【発明の効果】
【０００７】
本発明における制御盤配線用リレーアダプタによれば、制御盤の前面側に配設される電磁リレーと電気的に接続されるケーブルを制御盤の背面側で接続して敷設することができることにより、制御盤の背面側でケーブルを具合よく配置することができ、制御盤背面における作業性が向上するとともに、前記電磁リレーは一般的な構成で足りるためコスト面での負担も軽減できる。
【図面の簡単な説明】
【０００８】
【図１】制御盤配線用リレーアダプタを接続する一般的な電磁リレーの概略構成を示す単体図。
【図２】電磁リレーソケットに接続した本発明の制御盤配線用リレーアダプタの概略構成を示す全体図。
【図３】電磁リレーと制御盤配線用リレーアダプタの接続図。
【図４】本発明の制御盤配線用リレーアダプタの接続作業のイメージを示す工程説明図。
【発明を実施するための形態】
【０００９】
実施の形態１．
本発明における実施の形態について図１から図４までを用いて説明する。図１は制御盤配線用リレーアダプタを接続する一般的な電磁リレーの概略構成を示す単体図、図２は電磁リレーソケットに接続した本発明の制御盤配線用リレーアダプタの概略構成を示す全体図、図３は電磁リレーと制御盤配線用リレーアダプタの接続図、図４は本発明の制御盤配線用リレーアダプタの接続作業のイメージを示す工程説明図である。
【００１０】
まず、はじめに全体の構成について説明する。
図１は、本発明の盤背面配線用リレーアダプタの接続対象である一般的な電磁リレーを表している。図１に示す通り、本発明の盤背面配線用リレーアダプタの接続対象としている電磁リレーは、電磁リレー用のコイル１１ａおよびマグネット１１ｂ（図３参照）を有する電磁リレー本体１１と、電磁リレー本体１１を嵌め込むリレーソケット１３、リレーソケット１３上に設置されたリレー電源および接点用の端子１２で構成されており、一般的な制御盤用取り付けレール１４に固定することができる。
【００１１】
図２は、電磁リレーソケット１３に接続した、本発明の盤背面接続用リレーアダプタ２０を表している。
本発明の盤背面配線用リレーアダプタ２０は、図２に示すように、電磁リレー固定機構として流通・普及している安価な制御盤用取り付けレール２５と、一般的な電磁リレーソケット１３の端子１２に接続することができ、電磁リレーソケット１３の端子１２と接続可能な導通金属バー２２と、導通金属バー２２に電気的に接続している棒端子等の端子接続部２３を有する盤背面配線用リレーアダプタ本体２１、電磁リレーの通常状態を表示できる表示灯２４、盤背面側のケーブルを収納するケーブルダクト２６から構成される。
【００１２】
盤背面配線用リレーアダプタ本体２１は盤背面側の制御盤用取り付けレール２５上に固定できるよう制御盤用取り付けレール取り付け用のピンを有する。盤背面配線用リレーアダプタ本体２１は、端子１２の数が異なるリレーソケット１３に対応できるよう複数のラインナップを有する。
【００１３】
次に、導通金属バー２２について説明する。
盤背面配線用リレーアダプタ２０の導通金属バー２２は電磁リレーソケット１３の端子１２にネジ締めで接続することができ、電磁リレー本体１１のコイルおよび接点と盤背面配線用リレーアダプ本体２１の端子接続部２３を電気的に接続した状態とする。
盤背面配線用リレーアダプタ２０の導通金属バー２２は盤背面配線用リレーアダプ本体２１から、取り外しが可能で、電磁リレーソケット１３の端子１２と接続する箇所が丸端子のタイプ、Ｙ端子のタイプやバーの長さが異なる複数ラインナップのうち１つを選んで盤背面配線用リレーアダプタ本体２１に取り付けすることができる。
【００１４】
異なる長さの導通金属バー２２のラインナップを有することで、電磁リレーソケット１３の固定位置と盤背面配線用リレーアダプタ本体２１の固定位置の距離が異なるケース、すなわち盤前面と盤背面側の制御盤用取り付けレールの距離が異なるケースに対応することができる。
また、端子部分の形状を選択可能とすることで種々の盤製造規格に対応することができる。長さ・端子形状の異なる導通金属バー２２のラインナップと端子数が異なる盤背面配線用リレーアダプタ本体２１のラインナップを組み合わせて使用することで、特定の端子形状や端子数に対応した専用の盤背面配線用リレーアダプタをその都度製作することなく、複数種類の電磁リレーに対応した盤背面配線用リレーアダプタを構成することができる。
盤背面配線用リレーアダプタ２０に接続される導通金属バー２２は、電磁リレーソケットの端子１１に接続する箇所とその付近を除いては樹脂性の被覆で絶縁することで感電を防ぐ。
【００１５】
続いて、端子接続部２３を有する制御盤背面配線用リレーアダプタ本体２１について説明する。
リレーアダプタ本体２１には嵌合接続部ＣＰが設けられ、導通金属バー２２の制御盤背面側の端部は嵌合接続部ＣＰに嵌合して接続されリレーアダプタ本体２１の嵌合接続部ＣＰに対し着脱自在に接続されている。嵌合接続部ＣＰはリレーアダプタ本体２１の内部に設けられた接続部材２７により端子接続部２３に電気的に接続されている。
導通金属バー２２は、制御盤前面に沿い延在する前面延在導通部２２ａと、前面延在導通部２２ａに一体の板状体として形成され前面延在導通部２２ａの延在方向と直角方向に折曲形成されて制御盤前面側から制御盤背面側へ延在する奥行延在導通部２２ｂとを有している。前面延在導通部２２ａの端部は電磁リレー本体１１の端子１２に電気的に接続され、奥行延在導通部２２ｂの端部はリレーアダプタ本体２１の嵌合接続部ＣＰに嵌合されて嵌合接続部ＣＰを介しリレーアダプタ本体２１の端子接続部２３に電気的に接続される。これにより、電磁リレー本体１１と前記導通金属バー２２との電気的接続を簡素な構成で確実に行うことができる。
リレーアダプタ本体２１の内部に設けられた接続金属バー２７は、制御盤背面に沿い延在する背面延在接続部２７ａと、背面延在接続部２７ａに一体の板状体として形成され背面延在接続部２７ａの延在方向と直角方向に折曲形成されて制御盤背面側から制御盤前面側へ延在する奥行延在接続部２７ｂとを有している。背面延在導通部２７ａの端部は端子接続部２３に電気的に接続され、奥行延在接続部２７ｂの端部は嵌合接続部ＣＰに電気的に接続される。これにより、導通金属バー２２と接続端子部２３との電気的接続を簡素な構成で確実に行うことができる。
【００１６】
盤背面配線用リレーアダプタ本体２１の端子接続部２３は、図２の通り、盤背面側から端子接続ができるように、接続口が盤背面側で奥行方向を向いて設けられている。端子接続部２３は、棒端子に限らずネジ締め端子、コネクタの端子接続機構部としてもよい。
接続端子部２３は、導通金属バー２２と電気的に接続し、前記制御盤前面側の前記電磁リレー１１に接続したケーブルを制御盤背面側に敷設する際に、制御盤背面側から端子接続されるものである。
【００１７】
次に、コイル通電状態表示灯２４について説明する。
図２に示すように、盤背面配線用リレーアダプタ本体２１に、電磁リレー本体１１のコイルの通電状態を表す表示灯２４を有しており、コイル通電状態表示灯２４は電磁リレー本体１１のコイルの電源と電気的に接続されている。
コイル通電状態表示灯２４の点灯状況を盤背面側から確認できるようにすることで、盤背面配線用リレーアダプタ本体２１へ接続するケーブルの引き換え、盤背面配線用リレーアダプタ本体２１の新規設置後に行われる試運転の場合において、テスタ等の器具を用いずに電磁リレー本体１１のコイル通電状況を簡便に把握することができるようになる。
【００１８】
電磁リレー本体１１と電磁リレーソケット１３の端子１２、盤背面配線用リレーアダプタの導通金属バー２２、端子接続部２３、コイル通電状態表示灯２４は、結線状態を示す図３のように接続される。
【００１９】
続いて、ケーブルダクト２６について説明する。
ケーブルダクト２６は、図２に示す通り、盤背面配線用リレーアダプタ本体２１に直結されており、盤背面配線用リレーアダプタ本体２１の端子接続部２３に接続したケーブルを収納することができる。ケーブル配線の際は、ダクトカバー２６ａを取り外すことができる。
ケーブルダクト２６を盤背面配線用リレーアダプタ本体２１に直結することで、通常はリレーの上段または下段に設けるケーブルダクトのスペースを削減することができ、盤背面側の限られたスペースを有効活用することができる。
【００２０】
最後に、電磁リレー１１と盤背面配線用リレーアダプタ２０の接続作業について説明する。
図４に示す通り、電磁リレーと盤背面配線用リレーアダプタ２０の接続作業は、盤背面配線用リレーアダプタ本体２１から取り外した導通金属バー２２と電磁リレー本体１１と電磁リレーソケット１３の端子１２にネジ締め接続する作業と、導通金属バー２２と盤背面配線用リレーアダプタ本体２１を接続する作業から構成され、簡便に電磁リレーと盤背面配線用リレーアダプタを接続することができる。
まず、最初の作業工程である作業（１）として、図４（ａ）に示す通り、導通金属バー２２の制御盤前面側の端部が電磁リレーソケット１３の端子１２に締結接続され、電磁リレーソケット１３の端子１２への導通金属バー２２の接続が行われる。
次に、後続する作業工程である作業（２）として、導通金属バー２２の制御盤背面側の端部がリレーアダプタ本体２１に設けられた嵌合接続部ＣＰに嵌合接続され、導通金属バー２２と盤背面配線用リレーアダプタ本体２１の接続が行われる。
【００２１】
以上のように、制御盤配線用リレーアダプタ２０において、導通金属バー２２と接続される制御盤背面側の接続端子部２３を備えたことにより、制御盤背面側において複数のケーブルの周囲への散らばりが解消され、制御盤背面における作業性が向上する。
さらに、従来利用されていた、制御盤前面部に端子を有する一般的な電磁リレーソケットと、電磁リレー固定に一般的に用いられる制御盤用取り付けレールを利用できるため、低コストで制御盤背面へのケーブルの移動を実現することができる。
【００２２】
（１）本発明に係る実施の形態における制御盤配線用リレーアダプタは、図２に示す通り、制御盤の前面側に配設される電磁リレー本体１１からなる電磁リレーと電気的に接続されるケーブルを前記制御盤の背面側に敷設するための接続端子部２３を有し、前記制御盤の背面側に配設されるリレーアダプタ本体２１と、前面延在導通部２２ａおよび奥行延在導通部２２ｂを有し、前記制御盤の前面側に配設される前記電磁リレー１１の端子１２と電気的に接続されて前記制御盤の前面側から前記制御盤の背面側へ延在する導通金属バー２２からなる導通部材とを備え、前記導通金属バー２２からなる導通部材を前記リレーアダプタ本体２１の前記接続端子部２３と電気的に接続することを特徴とする。
この構成により、制御盤の前面側に配設される電磁リレーと電気的に接続されるケーブルを制御盤の背面側で接続して敷設することができることにより、制御盤の背面側でケーブルを具合よく配置することができ、制御盤背面における作業性が向上するとともに、前記電磁リレーは一般的な構成で足りるためコスト面での負担も軽減できる。すなわち、制御盤背面側において複数のケーブルの周囲への散らばりが解消され、制御盤背面における作業性が向上する。さらに、従来利用されていた、制御盤前面部に端子を有する一般的な電磁リレーソケットと、電磁リレー固定に一般的に用いられる制御盤用取り付けレールを利用できるため、低コストで制御盤背面へのケーブル接続関連構成の移行を実現することができるものである。
【００２３】
（２）本発明に係る実施の形態における制御盤配線用リレーアダプタは、図２に示す通り、前記（１）項の構成において、前記導通金属バー２２からなる導通部材の制御盤前面側端部に、前記導通部材の制御盤前面側から制御盤背面側へ延在する奥行延在導通部２２ａと直角方向に折曲され前記制御盤前面に沿って延在する前面延在導通部２２ｂを奥行延在導通部２２ａと一体の折曲板状体として設け、この前面延在導通部２２ｂを前記電磁リレー１１の端子１２に接合することを特徴とする。
この構成により、前記電磁リレー１１と前記導通金属バー２２からなる導通部材との電気的接続を簡素な構成で確実に行うことができる。
【００２４】
（３）本発明に係る実施の形態における制御盤配線用リレーアダプタは、図２に示す通り、前記（１）項または前記（２）項の構成において、前記導通部材の制御盤背面側端部に接続される奥行延在接続部２７ｂと、前記奥行延在接続部２７ｂに対し直角方向に折曲されて奥行延在接続部２７ｂと一体の折曲板状体として形成され前記制御盤背面に沿って延在する背面延在接続部２７ａとを有する接続金属バー２７からなる接続部材を前記リレーアダプタ本体２１に設け、前記接続金属バー２７からなる接続部材の前記背面延在接続部２７ａを前記接続端子部２３に接合して電気的に接続することを特徴とする。
この構成により、前記導通金属バー２２からなる導通部材と前記接続端子部２３との電気的接続をリレーアダプタ本体２１に設けた接続金属バー２７からなる接続部材によって簡素な構成で確実に行うことができる。
【００２５】
（４）本発明に係る実施の形態における制御盤配線用リレーアダプタは、図２に示す通り、前記（１）から前記（３）項までの何れかの構成において、前記リレーアダプタ本体２１に前記接続端子部２３と電気的に接続される嵌合接続部ＣＰを設け、前記導通部材の制御盤背面側における奥行延在導通部２２ｂの端部を前記嵌合接続部ＣＰに嵌合し接続して前記導通金属バー２２からなる導通部材を前記接続端子部２３と電気的に接続することを特徴とする、
この構成により、導通金属バー２２からなる導通部材とリレーアダプタ本体２１との電気的接続を必要に応じ迅速かつ確実に行うことができる。
【００２６】
（５）本発明に係る実施の形態における制御盤配線用リレーアダプタは、図３に示す通り、前記（１）項から前記（４）項までの何れかの構成において、前記リレーアダプタ本体２１に前記制御盤前面側における電磁リレー１１のコイル通電状態に応じて点灯状態が制御される表示灯２４を有することを特徴とする。
この構成により、ケーブルの接続や敷設が行われる制御盤背面側において電磁リレー本体１１のコイル通電状況を簡便に把握することができる。すなわち、コイル通電状態表示灯２４の点灯状況を制御盤背面側から確認できるようにすることで、盤背面配線用リレーアダプタ本体２１へ接続するケーブルの引き換え、盤背面配線用リレーアダプタ本体２１の新規設置後に行われる試運転の場合において、テスタ等の器具を用いずに電磁リレー本体１１のコイル通電状況を簡便に把握することができるようになる。
【００２７】
（６）本発明に係る実施の形態における制御盤配線用リレーアダプタは、図２に示す通り、前記（１）項から前記（５）項までの何れかの構成において、前記制御盤の背面側に配設された端子接続部２３を有するアダプタ本体２１と直結し前記端子接続部２３を覆うケーブルダクト２６を設けたことを特徴とする。
この構成により、制御盤の背面側におけるスペースを有効活用できる。すなわち、ケーブルダクト２６を盤背面配線用リレーアダプタ本体２１に直結することで、通常はリレーの上段または下段に設けるケーブルダクトのスペースを削減することができ、盤背面側の限られたスペースを有効活用することができる。
【００２８】
（７）本発明に係る実施の形態における制御盤配線用リレーアダプタは、図２に示す通り、前記（１）項から前記（６）項までの何れかの構成において、前記導通金属バー２２からなる導通部材を前記リレーアダプタ本体２１に対し着脱自在に構成した制御盤背面側のリレーアダプタ本体２１と導通金属バー２２からなる導通部材を脱着自在とする脱着機構を有することで、電磁リレー１１と導通金属バー２２からなる導通部材の接続作業を簡便にするとともに、異なる端子形状の導通金属バー２２のラインナップと端子数の異なるリレーアダプタ本体２１のラインナップを組合せて、個別の端子形状・端子数のパターンに対応したアダプタ本体２１をその都度製作することなく構成することを特徴とする。
この構成により、導通部材の接続作業が簡便で、導通金属バー２２からなる導通部材とリレーアダプタ本体２１とにおける構成を任意に選択できる制御盤配線用リレーアダプタを得ることができる。すなわち、制御盤背面側のリレーアダプタ本体２１と導通金属バー２２からなる導通部材の脱着機構を有することにより、電磁リレー１１と導通金属バー２２からなる導通部材の接続作業を簡便にするとともに、異なる端子形状の導通金属バー２２のラインナップと端子数の異なるリレーアダプタ本体２１のラインナップを組合せて、個別の端子形状・端子数のパターンに対応したアダプタ本体２１をその都度製作することなく構成することができる。
【００２９】
なお、本発明は、その発明の範囲内において、実施の形態を適宜、変形、省略することが可能である。
【符号の説明】
【００３０】
１１  電磁リレー本体、１２  リレー電源および接点用の端子、１３  リレーソケット、１４  制御盤用取り付けレール、２０  盤背面配線用リレーアダプタ、２１  盤背面配線用リレーアダプタ本体、２２  導通金属バー（導通部材）、２２ａ  前面延在導通部、２２ｂ  奥行延在導通部２３  盤背面側の端子接続部、２４  コイル通電状態表示灯、２５  制御盤用取り付けレール、２６  ケーブルダクト、２６ａ  ダクトカバー、２７  接続金属バー（接続部材）、２７ａ  背面延在接続部、２７ｂ  奥行延在接続部。
【図１】
2018120773.tif 000003
【図２】
2018120773.tif 000004
【図３】
2018120773.tif 000005
【図４】
2018120773.tif 000006